(57)【要約】【課題】前後方向と直交する方向から締結部材によりフロントキャビネットを固定する場合に、表示部とフロントキャビネットとの間に意図しない隙間が生じるのを抑制することが可能な表示装置を提供する。【解決手段】このテレビジョン装置１００（表示装置）は、液晶セル１１（表示部）と、フロントキャビネット２と、液晶セル１１を保持するモールドフレーム１２と、を備える。そして、フロントキャビネット２は、前後方向と直交する方向の外側から内側に向けて後方へ傾斜するリブ３１を有する。そして、モールドフレーム１２は、ネジ部材４によりフロントキャビネット２およびモールドフレーム１２が固定される際に、リブ３１の傾斜面３１ａと当接するとともに、当接した傾斜面３１ａに沿ってスライド移動させることによりフロントキャビネット２を後方に誘導するリブ受け４１を有する。【選択図】図４
2015225198.tif 000002
【特許請求の範囲】
【請求項１】
表示部と、
前記表示部の前方に配置されるフロントキャビネットと、
前記表示部の後方に配置され、前記フロントキャビネットと挟持することにより前記表示部を保持する保持部材と、
締結部材により前後方向と直交する方向の外側から内側へ向けて前記フロントキャビネットおよび前記保持部材が固定される内部フレームと、を備え、
前記フロントキャビネットまたは前記保持部材の一方は、前記前後方向と直交する方向の外側から内側に向けて後方へ傾斜する第１係合部を有し、
前記フロントキャビネットまたは前記保持部材の他方は、前記締結部材により前記フロントキャビネットおよび前記保持部材が固定される際に、前記第１係合部の傾斜面と当接するとともに、当接した前記傾斜面に沿ってスライド移動させることにより前記フロントキャビネットを後方に誘導する第２係合部を有する、表示装置。
【請求項２】
前記第１係合部または前記第２係合部の一方は、前記前後方向と直交する方向に突出する凸状部を含み、
前記第１係合部または前記第２係合部の他方は、前記締結部材により前記フロントキャビネットおよび前記保持部材が固定される際に、前記凸状部が挿入される凹状部を含む、請求項１に記載の表示装置。
【請求項３】
前記凸状部は、前記凹状部に挿入された状態で前記凹状部と係合することによって、前記保持部材に対して前記フロントキャビネットが前記前後方向に位置決めされるように構成されている、請求項２に記載の表示装置。
【請求項４】
前記締結部材は、前記フロントキャビネットおよび前記保持部材のネジ挿入孔に挿入されるネジ部材を含み、
前記凸状部は、前記凹状部に挿入された状態で前記凹状部の内側面と当接することによって、前記ネジ部材を回転して固定する際の前記フロントキャビネットの回転位置ずれを規制するように構成されている、請求項２または３に記載の表示装置。
【請求項５】
前記第１係合部は、前記締結部材が取り付けられる位置の近傍に配置されている、請求項１〜４のいずれか１項に記載の表示装置。
【請求項６】
前記第１係合部は、前記締結部材が取り付けられる位置の近傍において、前記締結部材を挟むように一対設けられており、
前記第２係合部は、一対の前記第１係合部に対応するように一対設けられている、請求項５に記載の表示装置。
【請求項７】
前記第２係合部は、前記第１係合部の前記傾斜面に対応する誘導面を有し、前記締結部材により前記フロントキャビネットおよび前記保持部材が固定される際に、前記第１係合部の前記傾斜面と前記誘導面とが当接するとともに、前記誘導面に当接した前記傾斜面に沿ってスライド移動させることにより前記フロントキャビネットを後方に誘導するように構成されている、請求項１〜６のいずれか１項に記載の表示装置。
【発明の詳細な説明】
【技術分野】
【０００１】
この発明は、表示装置に関し、特に、表示部を備える表示装置に関する。
【背景技術】
【０００２】
従来、表示部を備える表示装置が知られている（たとえば、特許文献１参照）。
【０００３】
上記特許文献１には、液晶表示パネル（表示部）と、液晶表示パネルの前方の周縁を覆う矩形額縁状の前キャビネットと、前キャビネット（フロントキャビネット）の後方を覆う矩形箱状の後キャビネットとを備える表示装置が開示されている。この表示装置では、前キャビネットは、後方に延びるとともに、後キャビネットのネジ挿入孔を貫通した締結部材（ネジ部材）を後キャビネット側から取り付けるためのネジ孔を有している。すなわち、この表示装置では、前キャビネットが前後方向から締結部材により固定されている。
【０００４】
一方、前キャビネットの矩形額縁状の部分を狭くする（いわゆる、狭額縁化の）ため、前後方向と直交する方向（たとえば、上下方向、左右方向）から締結部材（ネジ部材）により前キャビネットが固定される構造が考えられる。このような構造では、前キャビネットは、前後方向と直交する方向に締結部材が挿入される挿入孔を有しており、挿入孔に挿入された締結部材（ネジ部材）により表示装置内部の固定部材に固定されるように構成されている。この結果、前後方向に延びるネジ孔を設けないことによって、ネジ孔の孔径の分だけ、狭額縁化することが可能である。なお、このような締結部材の挿入孔は、挿入を容易に行うために締結部材（ネジ部材）のネジ部の外径よりも通常若干大きめに形成される。
【先行技術文献】
【特許文献】
【０００５】
【特許文献１】特開２００９−８０２９３号公報
【発明の概要】
【発明が解決しようとする課題】
【０００６】
上記特許文献１に記載の表示装置に対して、前後方向と直交する方向から締結部材により前キャビネットが固定される構造を適用した場合には、狭額縁化を図ることが可能である。しかしながら、このような構造を適用した表示装置では、締結部材（ネジ部材）のネジ部の外径よりも若干大きめに挿入孔が形成されているため、挿入孔の前後方向の中央からずれた位置で締結部材（ネジ部材）による前キャビネットの固定が行われる場合がある。この場合、前方または後方へ位置ずれが生じた状態で前キャビネットが固定されてしまう。そして、前方へ位置ずれが生じた状態で前キャビネットが固定された場合には、前キャビネットに前方への位置ずれが生じることに起因して、表示部と前キャビネットとの間に意図しない隙間が生じてしまうという問題点がある。
【０００７】
この発明は、上記のような課題を解決するためになされたものであり、この発明の１つの目的は、前後方向と直交する方向から締結部材によりフロントキャビネットを固定する場合に、表示部とフロントキャビネットとの間に意図しない隙間が生じるのを抑制することが可能な表示装置を提供することである。
【課題を解決するための手段】
【０００８】
この発明の一の局面による表示装置は、表示部と、表示部の前方に配置されるフロントキャビネットと、表示部の後方に配置され、フロントキャビネットと挟持することにより表示部を保持する保持部材と、締結部材により前後方向と直交する方向の外側から内側へ向けてフロントキャビネットおよび保持部材が固定される内部フレームと、を備え、フロントキャビネットまたは保持部材の一方は、前後方向と直交する方向の外側から内側に向けて後方へ傾斜する第１係合部を有し、フロントキャビネットまたは保持部材の他方は、締結部材によりフロントキャビネットおよび保持部材が固定される際に、第１係合部の傾斜面と当接するとともに、当接した傾斜面に沿ってスライド移動させることによりフロントキャビネットを後方に誘導する第２係合部を有する。
【０００９】
この発明の一の局面による表示装置では、上記のように、前後方向と直交する方向の外側から内側に向けて後方へ傾斜する第１係合部と、締結部材によりフロントキャビネットおよび保持部材が固定される際に、第１係合部の傾斜面と当接するとともに、当接した傾斜面に沿ってスライド移動させることによりフロントキャビネットを後方に誘導する第２係合部とを設ける。これにより、締結部材によりフロントキャビネットおよび保持部材が固定される際に、第１係合部の傾斜面を利用して、フロントキャビネットを後方に移動させることができる。その結果、フロントキャビネットに前方への位置ずれが生じることを抑制することができる。したがって、前後方向と直交する方向から締結部材によりフロントキャビネットを固定する場合に、表示部とフロントキャビネットとの間に意図しない隙間が生じるのを抑制することができる。その結果、フロントキャビネットと保持部材とに挟持された表示部が外れるのを抑制することができる。また、締結部材による固定作業を行うだけで、フロントキャビネットに前方への位置ずれが生じることを抑制することができるので、固定作業の際に治具を用いて位置ずれを抑制する場合と比べて、締結部材による固定作業を容易に行うことができる。
【００１０】
上記一の局面による表示装置において、好ましくは、第１係合部または第２係合部の一方は、前後方向と直交する方向に突出する凸状部を含み、第１係合部または第２係合部の他方は、締結部材によりフロントキャビネットおよび保持部材が固定される際に、凸状部が挿入される凹状部を含む。このように構成すれば、前後方向と直交する方向に突出する凸状部が凹状部に挿入されるので、第１係合部および第２係合部が共に凸状部により構成される場合と比べて、フロントキャビネットと保持部材とを前後方向と直交する方向により近接した状態で内部フレームに固定することができる。その結果、前後方向と直交する方向から締結することにより狭額縁化されたフロントキャビネットの額縁の幅が増加するのを抑制することができる。
【００１１】
この場合、好ましくは、凸状部は、凹状部に挿入された状態で凹状部と係合することによって、保持部材に対してフロントキャビネットが前後方向に位置決めされるように構成されている。このように構成すれば、フロントキャビネットと保持部材とにより表示部を挟持した状態で、保持部材に対してフロントキャビネットの前後方向の位置決めを行うことができる。その結果、表示部に対してもフロントキャビネットの前後方向の位置決めが行われるので、表示部とフロントキャビネットとの間に意図しない隙間が生じるのをより確実に抑制することができる。
【００１２】
上記凸状部および凹状部が設けられる構成において、好ましくは、締結部材は、フロントキャビネットおよび保持部材のネジ挿入孔に挿入されるネジ部材を含み、凸状部は、凹状部に挿入された状態で凹状部の内側面と当接することによって、ネジ部材を回転して固定する際のフロントキャビネットの回転位置ずれを規制するように構成されている。このように構成すれば、凸状部および凹状部を利用して、フロントキャビネットに前方への位置ずれが生じることを抑制するのに加えて、ネジ部材を回転させて固定する際のフロントキャビネットの回転位置ずれが生じることも抑制することができる。その結果、回転位置ずれを抑制するための部材を別途設けることに起因して部品点数が増加するのを抑制しつつ、フロントキャビネットをより適切な位置に固定することができる。
【００１３】
上記一の局面による表示装置において、好ましくは、第１係合部は、締結部材が取り付けられる位置の近傍に配置されている。このように構成すれば、締結部材が固定される際の力を用いて、容易に、フロントキャビネットを後方に移動させることができる。
【００１４】
この場合、好ましくは、第１係合部は、締結部材が取り付けられる位置の近傍において、締結部材を挟むように一対設けられており、第２係合部は、一対の第１係合部に対応するように一対設けられている。このように構成すれば、締結部材の一方側にのみ第１係合部および第２係合部が設けられている場合と比べて、より確実に、フロントキャビネットを後方に移動させることができる。
【００１５】
上記一の局面による表示装置において、好ましくは、第２係合部は、第１係合部の傾斜面に対応する誘導面を有し、締結部材によりフロントキャビネットおよび保持部材が固定される際に、第１係合部の傾斜面と誘導面とが当接するとともに、誘導面に当接した傾斜面に沿ってスライド移動させることによりフロントキャビネットを後方に誘導するように構成されている。このように構成すれば、傾斜面を誘導面と面接触させた状態でスライド移動させることができるので、点接触または線接触させた状態でスライド移動させる場合と比べて、より円滑に、スライド移動させることができる。
【発明の効果】
【００１６】
本発明によれば、上記のように、前後方向と直交する方向から締結部材によりフロントキャビネットを固定する場合に、表示部とフロントキャビネットとの間に意図しない隙間が生じるのを抑制することが可能な表示装置を提供することができる。
【図面の簡単な説明】
【００１７】
【図１】本発明の第１実施形態によるテレビジョン装置の全体構成を示す斜視図である。
【図２】本発明の第１実施形態によるテレビジョン装置の分解斜視図である。
【図３】図５の５００−５００線に沿った模式的な断面図である。
【図４】図５の６００−６００線に沿った模式的な断面図である。
【図５】本発明の第１実施形態によるテレビジョン装置のフロントキャビネットのリアフレームに対する固定箇所の拡大図である。
【図６】本発明の第１実施形態によるテレビジョン装置のフロントキャビネットの突出部近傍の拡大図である。
【図７】本発明の第１実施形態による表示装置のモールドフレームの突出部近傍の拡大図である。
【図８】本発明の第１実施形態によるテレビジョン装置のネジ部材によるフロントキャビネットの固定作業を説明するための図である。
【図９】本発明の第２実施形態によるテレビジョン装置の固定箇所近傍の模式的な断面図である。
【図１０】本発明の第３実施形態によるテレビジョン装置の固定箇所近傍の模式的な断面図である。
【発明を実施するための形態】
【００１８】
以下、本発明を具体化した実施形態を図面に基づいて説明する。
【００１９】
（第１実施形態）
図１〜図７を参照して、本発明の第１実施形態によるテレビジョン装置１００の構成について説明する。なお、テレビジョン装置１００は、本発明の「表示装置」の一例である。
【００２０】
本発明の第１実施形態による表示装置１００は、図１に示すように、表示モジュール１と、フロントキャビネット２と、リアキャビネット３とを備えている。表示モジュール１は、フロントキャビネット２およびリアキャビネット３に収容されている。フロントキャビネット２およびリアキャビネット３は、共に、樹脂製である。
【００２１】
図１および図２に示すように、表示モジュール１は、液晶セル１１と、モールドフレーム１２と、光学シート１３と、反射シート１４と、光源部１５と、リアフレーム１６とを含んでいる。なお、液晶セル１１は、本発明の「表示部」の一例である。また、モールドフレーム１２は、本発明の「保持部材」の一例である。また、リアフレーム１６は、本発明の「内部フレーム」の一例である。以降、本明細書では、液晶セル１１の後述する表示面１１ａ側を前方（Ｙ１方向）、前方とは反対の方向を後方（Ｙ２方向）として説明する。また、図２では、リアキャビネット３の図示を省略している。
【００２２】
液晶セル１１は、前面（Ｙ１方向側の面）に表示面１１ａを有している。また、液晶セル１１は、表示面１１ａに画像が表示されるように構成されている。
【００２３】
モールドフレーム１２は、樹脂製であり、矩形枠状に形成されている。また、モールドフレーム１２は、液晶セル１１の後方（Ｙ２方向）に配置され、前面側（Ｙ１方向側）において、液晶セル１１を保持するように構成されている。また、モールドフレーム１２は、後面側（Ｙ２方向側）において、光学シート１３を保持するように構成されている。モールドフレーム１２の詳細な構成については、後述する。
【００２４】
光学シート１３は、拡散板およびレンズシートなどの機能性のシートであり、複数設けられている。
【００２５】
反射シート１４は、光学シート１３の後方に配置され、光源部１５からの光を液晶セル１１側に反射するように構成されている。
【００２６】
光源部１５は、ＬＥＤからなる複数の光源１５ａを含み、光源１５ａから画像を形成する光を出射するように構成されている。光源部１５は、複数の光源１５ａが反射シート１４の対応する複数の開口１４ａから露出するように配置されている。
【００２７】
リアフレーム１６は、板金製であり、略矩形状に形成されている。また、リアフレーム１６は、フロントキャビネット２、リアキャビネット３、および、チューナ部（図示せず）を含む回路基板（図示せず）などが固定されるように構成されている。このリアフレーム１６では、図３に示すように、ネジ部材４により前後方向（Ｙ方向）に直交する方向（Ｘ方向およびＺ方向）の外側から内側へ向けてフロントキャビネット２およびモールドフレーム１２が固定される。この際、リアフレーム１６では、フロントキャビネット２およびモールドフレーム１２を共締めするように、ネジ部材４がネジ孔１６ａに締結される。ネジ孔１６ａは、図２に示すように、リアフレーム１６の外周縁部の３辺（左右両側および上側の辺）に、各々、複数設けられている。なお、ネジ部材４は、本発明の「締結部材」の一例である。また、図２において、ネジ部材４の取付方向を一点鎖線Ｓｃにより示す。
【００２８】
図１および図２に示すように、フロントキャビネット２には、液晶セル１１の表示面１１ａの周縁を取り囲む枠状の額縁部２１が設けられている。また、フロントキャビネット２には、額縁部２１の外周縁部に沿って額縁部２１からやや外側に傾斜しながら後方に向かって突出する外周壁部２２が設けられている。また、フロントキャビネット２には、外周壁部２２よりも内側において額縁部２１から後方に向かって突出する複数の突出部２３が設けられている。
【００２９】
複数の突出部２３には、それぞれ、ネジ部材４が挿入される横長の貫通孔（ネジ挿入孔）２３ａ（図３参照）が設けられている。つまり、フロントキャビネット２は、突出部２３において、リアフレーム１６に固定されるように構成されている。また、複数の突出部２３は、額縁部２１の外周縁部の３辺（左右両側および上側の辺）に、それぞれ、複数ずつ設けられている。詳細には、複数の突出部２３は、左右両側（Ｘ方向の両側）の辺に３箇所ずつ、上側（Ｚ１方向側）の辺に５箇所設けられている。
【００３０】
次に、図３〜図７を参照して、突出部２３とともに、突出部２３周辺のモールドフレーム１２の構成についても詳細に説明する。なお、複数の突出部２３は、互いに略同一の構成を有するので、ここでは、図２の符号Ｐに示した上側の突出部２３と、この突出部２３周辺のモールドフレーム１２の構成を例に説明する。また、前後方向（Ｙ方向）と直交する方向がＸ方向とＺ方向との２つの方向を含むので、以下では、この前後方向と直交する方向をＡ方向として、ＸＺ面内で表示面１１ａの中央に向かう方向（Ａ２方向）を内側方向、ＸＺ面内で表示面１１ａの外側に向かう方向（Ａ１方向）を外側方向という。図３〜図７では、Ａ方向がＺ方向と一致する。まず、突出部２３周辺のモールドフレーム１２の構成について詳細に説明する。
【００３１】
図３に示すように、モールドフレーム１２には、フロントキャビネット２の額縁部２１と対向する位置に配置され、後方から液晶セル１１を保持する保持部１２ａが設けられている。保持部１２ａおよび額縁部２１は内側方向（Ａ２方向）の端部近傍において、それぞれ、弾性部材５および６を介して、液晶セル１１を挟持するように構成されている。また、モールドフレーム１２には、保持部１２ａの外側方向（Ａ１方向）の端部近傍から前方（Ｙ１方向）に向かって突出するとともに、額縁部２１の裏面と当接する位置決め部１２ｂが設けられている。この位置決め部１２ｂにより、フロントキャビネット２のモールドフレーム１２に対する前後方向の位置決めが行われる。また、モールドフレーム１２には、位置決め部１２ｂよりも内側（Ａ２方向側）において、後方に向かって突出するとともに、リアフレーム１６と当接する位置決め部１２ｃが設けられている。この位置決め部１２ｃにより、モールドフレーム１２のリアフレーム１６に対する前後方向の位置決めが行われる。
【００３２】
また、モールドフレーム１２には、保持部１２ａの外側方向（Ａ１方向）の端部近傍から後方（Ｙ２方向）に向かって突出する突出部１２ｄが設けられている。突出部１２ｄは、フロントキャビネット２の突出部２３と対向するように配置されている。また、突出部１２ｄには、ネジ部材４が挿入される横長の貫通孔（ネジ挿入孔）１２ｅが設けられている。貫通孔１２ｅは、複数設けられており、複数の貫通孔１２ｅは、リアフレーム１６のネジ孔１６ａおよびフロントキャビネット２の貫通孔２３ａと対応する位置にそれぞれ設けられている。
【００３３】
ここで、第１実施形態では、図４および図６に示すように、フロントキャビネット２の突出部２３には、前後方向（Ｙ方向）と直交する方向の外側から内側に向けて後方（Ｙ２方向）へ傾斜するリブ３１が設けられている。リブ３１は、突出部２３から内側方向（Ａ２方向）に向かって突出する凸状に形成されている。また、リブ３１には、傾斜面３１ａと、傾斜面３１ａの後方となだらかに連続する頂面３１ｂと、突出部２３から内側方向（Ａ２方向）に立上るとともに頂面３１ｂとなだらかに連続する後端面３１ｃとが設けられている。また、リブ３１の頂面３１ｂは、リブ３１の前後方向の中心よりも後方に位置するように形成されている。なお、リブ３１は、本発明の「第１係合部」および「凸状部」の一例である。
【００３４】
また、図５および図６に示すように、リブ３１は、ネジ部材４が挿入される貫通孔２３ａの近傍において、貫通孔２３ａをＸ方向に挟むように一対設けられている。すなわち、一対のリブ３１は、ネジ部材４が固定された状態で、ネジ部材４を挟むように配置されている。
【００３５】
また、第１実施形態では、図４および図７に示すように、モールドフレーム１２の突出部１２ｄには、ネジ部材４によりフロントキャビネット２およびモールドフレーム１２が固定される際に、リブ３１の傾斜面３１ａと当接するとともに、当接した傾斜面３１ａに沿ってスライド移動させることによってフロントキャビネット２を後方に誘導するリブ受け４１が設けられている。リブ受け４１には、リブ３１の傾斜面３１ａと略同一の傾斜を有する誘導面４１ａが設けられており、フロントキャビネット２およびモールドフレーム１２の固定の際に、この誘導面４１ａが傾斜面３１ａと当接する。また、リブ受け４１は、一対のリブ３１に対応するように、貫通孔１２ｅの近傍において、貫通孔１２ｅをＸ方向に挟むように一対設けられている。
【００３６】
また、リブ受け４１は、リブ３１が嵌合（係合）可能なように、凸状のリブ３１と対応する凹状に形成されている。そして、リブ３１は、ネジ部材４によりフロントキャビネット２およびモールドフレーム１２が固定される際に、リブ受け４１に挿入されるとともに、嵌合（係合）するように構成されている。また、リブ３１は、リブ受け４１に挿入された状態で、リブ受け４１と係合することによって、モールドフレーム１２に対してフロントキャビネット２が前後方向に位置決めされるように構成されている。具体的には、リブ３１の傾斜面３１ａ、頂面３１ｂおよび後端面３１ｃが、それぞれ、リブ受け４１の対応する誘導面４１ａ、底面４１ｂ、後端面４１ｃと当接することによって、モールドフレーム１２に対してフロントキャビネット２が前後方向に位置決めされる。なお、リブ受け４１は、本発明の「第２係合部」および「凹状部」の一例である。
【００３７】
また、リブ３１は、リブ受け４１に挿入されて係合した状態で、外側面３１ｄがリブ受け４１の内側面４１ｄと当接することによって、ネジ部材４を回転方向Ｒ（図５参照）に回転して固定する際のフロントキャビネット２の回転位置ずれを規制するように構成されている。また、リブ３１は、リブ受け４１に挿入されて係合した状態で、傾斜面３１ａの前後方向の略中央の位置がネジ部材４の軸線９０と前後方向に重なる位置に形成されている。これにより、ネジ部材４が固定される際の力をリブ３１により、より確実に、利用することが可能である。
【００３８】
次に、図８を参照して、ネジ部材４によるフロントキャビネット２およびモールドフレーム１２のリアフレーム１６に対する固定作業について説明する。
【００３９】
図８の固定準備状態に示すように、固定作業の準備状態では、リアフレーム１６に対してモールドフレーム１２およびフロントキャビネット２が離間して配置されている。この状態で、前後方向と直交する方向から、ネジ部材４による固定作業が行われる。そして、図８の固定途中状態に示すように、回転方向Ｒ（図５参照）に回転されたネジ部材４がネジ孔１６ａと噛み合って前後方向と直交する方向の外側から内側に移動するのに従って、前後方向と直交する方向に突出部２３が押圧される。この結果、リブ３１の傾斜面３１ａと、リブ受け４１の誘導面４１ａとが当接される。そして、この当接状態で、誘導面４１ａに当接したリブ３１の傾斜面３１ａに沿ってリブ３１が傾斜方向にスライド移動されることによって、フロントキャビネット２がモールドフレーム１２およびリアフレーム１６に対して後方に誘導される。また、この際、外側面３１ｄがリブ受け４１の内側面４１ｄと当接することによって、ネジ部材４を回転方向Ｒ（図５参照）に回転して固定する際のフロントキャビネット２の回転位置ずれが規制される。そして、図８の固定状態に示すように、ネジ部材４が所定の位置まで移動して締結された状態で、リブ３１とリブ受け４１とが係合される。そして、リブ３１とリブ受け４１が係合した状態で、モールドフレーム１２に対してフロントキャビネット２が前後方向に位置決めされる。その結果、図８に示すように、フロントキャビネット２の額縁部２１に取り付けられた弾性部材５と、液晶セル１１の表示面１１ａとの間に隙間が生じるのを確実に抑制することが可能である。
【００４０】
第１実施形態では、以下のような効果を得ることができる。
【００４１】
第１実施形態では、上記のように、前後方向（Ｙ方向）と直交する方向（Ａ方向）の外側から内側に向けて後方へ傾斜するリブ３１をフロントキャビネット２に設ける。そして、ネジ部材４によりフロントキャビネット２およびモールドフレーム１２が固定される際に、リブ３１の傾斜面３１ａと当接するとともに、当接した傾斜面３１ａに沿ってスライド移動させることによりフロントキャビネット２を後方に誘導するリブ受け４１をモールドフレーム１２に設ける。これにより、ネジ部材４によりフロントキャビネット２およびモールドフレーム１２が固定される際に、リブ３１の傾斜面３１ａを利用して、フロントキャビネット２を後方に移動させることができる。その結果、フロントキャビネット２に前方への位置ずれが生じることを抑制することができる。したがって、前後方向と直交する方向からネジ部材４によりフロントキャビネット２を固定する場合に、液晶セル１１とフロントキャビネット２との間に意図しない隙間が生じるのを抑制することができる。その結果、フロントキャビネット２とモールドフレーム１２とに挟持された液晶セル１１が外れるのを抑制することができる。また、ネジ部材４による固定作業を行うだけで、フロントキャビネット２に前方への位置ずれが生じることを抑制することができるので、固定作業の際に治具を用いて位置ずれを抑制する場合と比べて、ネジ部材４による固定作業を容易に行うことができる。
【００４２】
また、第１実施形態では、上記のように、前後方向と直交する方向に突出する凸状にリブ３１を形成する。そして、ネジ部材４によりフロントキャビネット２およびモールドフレーム１２が固定される際に、リブ３１が挿入されるように凹状にリブ受け４１を形成する。これにより、前後方向と直交する方向に突出するリブ３１がリブ受け４１に挿入されるので、リブ３１およびリブ受け４１が共に凸状に形成される場合と比べて、フロントキャビネット２とモールドフレーム１２とを前後方向と直交する方向により近接した状態でリアフレーム１６に固定することができる。その結果、前後方向と直交する方向から締結することにより狭額縁化されたフロントキャビネット２の額縁部２１の幅（上下方向、左右方向の幅）が増加するのを抑制することができる。
【００４３】
また、第１実施形態では、上記のように、リブ受け４１に挿入された状態でリブ受け４１と係合することによって、モールドフレーム１２に対してフロントキャビネット２が前後方向（Ｙ方向）に位置決めされるようにリブ３１を構成する。これにより、フロントキャビネット２とモールドフレーム１２とにより液晶セル１１を挟持した状態で、モールドフレーム１２に対してフロントキャビネット２の前後方向の位置決めを行うことができる。その結果、液晶セル１１に対してもフロントキャビネット２の前後方向の位置決めが行われるので、液晶セル１１とフロントキャビネット２との間に意図しない隙間が生じるのをより確実に抑制することができる。
【００４４】
また、第１実施形態では、上記のように、リブ受け４１に挿入された状態でリブ受け４１の内側面４１ｄと当接することによって、ネジ部材４を回転方向Ｒ（図５参照）に回転して固定する際のフロントキャビネット２の回転位置ずれを規制するようにリブ３１を構成する。これにより、リブ３１およびリブ受け４１を利用して、フロントキャビネット２に前方への位置ずれが生じることを抑制するのに加えて、ネジ部材４を回転させて固定する際のフロントキャビネット２の回転位置ずれや回転に起因する捻じれが生じることも抑制することができる。その結果、回転位置ずれを抑制するための部材を別途設けることに起因して部品点数が増加するのを抑制しつつ、フロントキャビネット２をより適切な位置に固定することができる。
【００４５】
また、第１実施形態では、上記のように、ネジ部材４が取り付けられる位置（貫通孔２３ａ）の近傍にリブ３１を配置する。これにより、ネジ部材４が固定される際の力を用いて、容易に、フロントキャビネット２を後方に移動させることができる。
【００４６】
また、第１実施形態では、上記のように、ネジ部材４が取り付けられる位置（貫通孔２３ａ）の近傍において、ネジ部材４を挟むように一対のリブ３１を設ける。そして、一対のリブ３１に対応するように一対のリブ受け４１を設ける。これにより、ネジ部材４の一方側にのみリブ３１およびリブ受け４１が設けられている場合と比べて、より確実に、フロントキャビネット２を後方に移動させることができる。
【００４７】
また、第１実施形態では、上記のように、ネジ部材４によりフロントキャビネット２およびモールドフレーム１２が固定される際に、リブ３１の傾斜面３１ａとリブ受け４１の誘導面４１ａとが当接するとともに、誘導面４１ａに当接した傾斜面３１ａに沿ってスライド移動させることによりフロントキャビネット２を後方に誘導するようにリブ受け４１を構成する。これにより、傾斜面３１ａを誘導面４１ａと面接触させた状態でスライド移動させることができるので、点接触または線接触させた状態でスライド移動させる場合と比べて、より円滑に、スライド移動させることができる。
【００４８】
（第２実施形態）
次に、図１および図９を参照して、第２実施形態について説明する。この第２実施形態では、上記第１実施形態の構成とは異なり、フロントキャビネット１０２に凹状のリブ受け１３１を、モールドフレーム１１２に凸状のリブ１４１を設ける例について説明する。
【００４９】
図９に示すように、本発明の第２実施形態によるテレビジョン装置２００（図１参照）では、フロントキャビネット１０２の突出部２３には、前後方向と直交する方向（Ａ方向）の外側から内側に向けて後方に傾斜する傾斜面１３１ａを有する凹状のリブ受け１３１が設けられている。また、モールドフレーム１１２の突出部１２ｄには、凹状のリブ受け１３１と対応する凸状のリブ１４１が設けられている。なお、テレビジョン装置２００は、本発明の「表示装置」の一例である。また、リブ受け１３１は、本発明の「第１係合部」および「凹状部」の一例である。また、リブ１４１は、本発明の「第２係合部」および「凸状部」の一例である。
【００５０】
第２実施形態では、フロントキャビネット１０２は、ネジ部材４によりリアフレーム１６に固定される際に、リブ受け１３１の傾斜面１３１ａがリブ１４１の誘導面１４１ａと当接した状態で、傾斜面１３１ａの傾斜方向にスライド移動されることにより後方に誘導されるように構成されている。この第２実施形態の構成においても、フロントキャビネット１０２を確実に後方に移動させることが可能である。
【００５１】
なお、第２実施形態のその他の構成は、上記第１実施形態と同様である。
【００５２】
第２実施形態では、以下のような効果を得ることができる。
【００５３】
第２実施形態では、上記のように、前後方向（Ｙ方向）と直交する方向（Ａ方向）の外側から内側に向けて後方へ傾斜するリブ受け１３１をフロントキャビネット１０２に設ける。そして、傾斜面１３１ａに沿ってスライド移動させることによりフロントキャビネット１０２を後方に誘導するリブ１４１をモールドフレーム１１２に設ける。これにより、上記第１実施形態と同様に、前後方向と直交する方向からネジ部材４によりフロントキャビネット１０２を固定する場合に、液晶セル１１とフロントキャビネット１０２との間に意図しない隙間が生じるのを抑制することができる。
【００５４】
なお、第２実施形態のその他の効果は、上記第１実施形態と同様である。
【００５５】
（第３実施形態）
次に、図１および図１０を参照して、第３実施形態について説明する。この第３実施形態では、モールドフレーム２１２の位置決め部１２ｂおよびフロントキャビネット２のリブ３１によりフロントキャビネット２の前後方向の位置決めを行った上記第１実施形態とは異なり、フロントキャビネット２のリブ３１のみにより前後方向の位置決めを行う例について説明する。
【００５６】
図１０に示すように、本発明の第３実施形態によるテレビジョン装置３００（図１参照）では、モールドフレーム２１２には、保持部１２ａの外側方向（Ａ１方向）の端部近傍から前方（Ｙ１方向）に向かって突出する突出部２１２ｂが設けられている。突出部２１２ｂは、ネジ部材４によりモールドフレーム２１２が固定された状態で、額縁部２１の裏面と離間する位置まで延びるように形成されている。すなわち、第３実施形態では、突出部２１２ｂは、フロントキャビネット２の前後方向の位置決めを行わないように構成されている。第３実施形態のテレビジョン装置３００では、リブ３１がリブ受け４１と係合することによって、モールドフレーム２１２に対するフロントキャビネット２の前後方向への位置決めが行われる。なお、テレビジョン装置３００は、本発明の「表示装置」の一例である。
【００５７】
なお、第３実施形態のその他の構成は、上記第１実施形態と同様である。
【００５８】
第３実施形態では、以下のような効果を得ることができる。
【００５９】
第３実施形態では、上記のように、ネジ部材４によりモールドフレーム２１２が固定された状態で、額縁部２１の裏面と離間するように突出部２１２ｂを形成する。これにより、フロントキャビネット２が後方に誘導（移動）される際に、額縁部２１と突出部２１２ｂが当接することがないので、上記第１実施形態とは異なり位置決め部１２ｂによりフロントキャビネット２の後方への移動が規制されることがない。したがって、フロントキャビネット２が固定される際に、ネジ部材４による締め付けを調整することにより、フロントキャビネット２の後方へ移動量を調整することができる。また、突出部２１２ｂを設けることによって、フロントキャビネット２の後方への変形を受け止めることができる。これにより、変形に起因するフロントキャビネット２の破損を抑制することができる。
【００６０】
なお、第３実施形態のその他の効果は、上記第１実施形態と同様である。
【００６１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６２】
たとえば、上記第１〜第３実施形態では、テレビジョン装置に本発明を適用した例を示したが、本発明はこれに限られない。本発明は、テレビジョン装置以外の表示装置に適用されてもよい。
【００６３】
また、上記第１〜第３実施形態では、フロントキャビネット２に第１係合部としてのリブ３１（リブ受け１３１）を、モールドフレーム１２に第２係合部としてのリブ受け４１（リブ１４１）を設けた例を示したが、本発明はこれに限られない。本発明では、フロントキャビネットに第２係合部を設けるとともに、モールドフレームに第１係合部を設けてもよい。
【００６４】
また、上記第１および第２実施形態では、第１係合部（リブ３１およびリブ受け１３１）と第２係合部（リブ受け４１およびリブ１４１）が凹凸形状を有した例を示したが、本発明はこれに限られない。本発明では、第１係合部または第２係合部のいずれか一方が前後方向と直交する方向の外側から内側に向けて後方に傾斜する傾斜部を有していれば、第１係合部および第２係合部が共に凸状に形成されてもよい。
【００６５】
また、上記第１実施形態では、リブ３１とリブ受け４１とが係合（嵌合）した例を示したが、本発明はこれに限られない。本発明では、リブとリブ受けが係合（嵌合）しなくともよい。たとえば、リブ受けに対してリブが単に挿入されるだけでもよい。
【００６６】
また、上記第１実施形態では、ネジ部材４が取り付けられる位置（貫通孔２３ａおよび貫通孔１２ｅ）の近傍にリブ３１およびリブ受け４１が設けられた例を示したが、本発明はこれに限られない。本発明では、リブおよびリブ受けをネジ部材が取り付けられる位置の近傍以外の位置に設けてもよい。たとえば、突出部２３の根元側（額縁部２１側）に設けてもよい。
【００６７】
また、上記第１実施形態では、リブ３１およびリブ受け４１を、それぞれ、一対ずつ設けた例を示したが、本発明はこれに限られない。本発明では、リブおよびリブ受けを、それぞれ、１個または３個以上ずつ設けてもよい。
【００６８】
また、上記第１実施形態では、リブ３１の傾斜面３１ａとリブ受け４１の誘導面４１ａとを面接触させながらリブ３１が傾斜面３１ａに沿ってスライド移動された例を示したが、本発明はこれに限られない。本発明では、リブの傾斜面をリブ受けの当接部と線接触させながらリブが傾斜面に沿ってスライド移動されるように構成してもよい。
【符号の説明】
【００６９】
２、１０２  フロントキャビネット
４  ネジ部材（締結部材）
１１  液晶セル（表示部）
１２、１１２、２１２  モールドフレーム（保持部材）
１６  リアフレーム（内部フレーム）
３１  リブ（第１係合部、凸状部）
３１ａ  傾斜面
４１  リブ受け（第２係合部、凹状部）
４１ａ  誘導面
１００、２００、３００  テレビジョン装置（表示装置）
１３１  リブ受け（第１係合部、凹状部）
１４１  リブ（第２係合部、凸状部）
【図１】
2015225198.tif 000003
【図２】
2015225198.tif 000004
【図３】
2015225198.tif 000005
【図４】
2015225198.tif 000006
【図５】
2015225198.tif 000007
【図６】
2015225198.tif 000008
【図７】
2015225198.tif 000009
【図８】
2015225198.tif 000010
【図９】
2015225198.tif 000011
【図１０】
2015225198.tif 000012